(57)【要約】【課題】液体が流れるラインから取り外すことなく、ポンプの吸込口側から吐出口側に向かって液体が流れる状態と、この状態とは逆向きに液体が流れる状態と、に切り替えることが可能なポンプユニットを提供すること。【解決手段】ポンプユニットであって、吸込口及び吐出口を有するポンプと、第１流路（２０１）及び第２流路（２０２）を有するとともに、第１流路（２０１）が吸込口につながるとともに第２流路（２０２）が吐出口につながる順流状態と、第１流路（２０１）が吐出口につながるとともに第２流路（２０２）が吸込口につながる逆流状態と、を切り替え可能な回路と、を備えること。【選択図】図７
2018153379.tif 000002
【特許請求の範囲】
【請求項１】
ポンプ室、前記ポンプ室に薬液を吸い込むための吸込口、前記ポンプ室から前記薬液を吐出するための吐出口、圧電素子、前記圧電素子の伸長及び収縮によって振動するダイヤフラム、前記液体が前記吸込口を通じて前記ポンプ室に流入するのを許容するとともに前記液体が前記吸込口を通じて前記ポンプ室から流出するのを規制する吸込側弁及び前記液体が前記吐出口を通じて前記ポンプ室から流出するのを許容するとともに前記液体が前記吐出口を通じて前記ポンプ室に流入するのを規制する吐出側弁を有するポンプと、
第１流路及び第２流路を有するとともに、前記第１流路が前記吸込口につながるとともに前記第２流路が前記吐出口につながる順流状態と、前記第１流路が前記吐出口につながるとともに前記第２流路が前記吸込口につながる逆流状態と、を切り替え可能な回路と、を備える、ポンプユニット。
【請求項２】
請求項１に記載のポンプユニットにおいて、
前記回路は、
前記第１流路と前記吸込口とを接続する第１接続流路と、
前記第１流路と前記吐出口とを接続する第２接続流路と、
前記第２流路と前記吐出口とを接続する第３接続流路と、
前記第２流路と前記吸込口とを接続する第４接続流路と、
前記順流状態となるように前記第１接続流路及び前記第３接続流路を開くとともに前記第２接続流路及び前記４接続流路を閉じる正状態と、前記逆流状態となるように前記第２接続流路及び前記第４接続流路を開くとともに前記第１接続流路及び前記第３接続流路を閉じる逆状態と、に切り替え可能な切替機構と、を含む、ポンプユニット。
【請求項３】
請求項２に記載のポンプユニットにおいて、
前記切替機構は、前記第１接続流路、前記第２接続流路、前記第３接続流路及び前記４接続流路の全てを開く中立状態にも切り替え可能である、ポンプユニット。
【請求項４】
請求項２又は３に記載のポンプユニットにおいて、
前記切替機構は、前記正状態のときに前記第１接続流路及び前記第３接続流路が開放されかつ前記第２接続流路及び前記第４接続流路が閉塞されるように前記第２接続流路及び前記第４接続流路を押圧することが可能であるとともに、前記逆状態のときに前記第２接続流路及び前記第４接続流路が開放されかつ前記第１接続流路及び前記第３接続流路が閉塞されるように前記第１接続流路及び前記第３接続流路を押圧することが可能な押圧部材を有する、ポンプユニット。
【請求項５】
請求項４のいずれかに記載のポンプユニットにおいて、
前記ポンプ、前記第１流路、前記第２流路、前記第１接続流路、前記第２接続流路、前記第３接続流路及び前記第４接続流路と、前記押圧部材と、は互いに分離可能に構成されている、ポンプユニット。
【請求項６】
請求項２ないし５のいずれかに記載のポンプユニットにおいて、
前記回路は、前記順流状態において前記第２流路に接続されたチューブ内の圧力が閾値以上となったときに、前記切替機構を前記正状態から前記逆状態に変更する制御部をさらに含む、ポンプユニット。
【発明の詳細な説明】
【技術分野】
【０００１】
本発明は、ポンプユニットに関するものである。
【背景技術】
【０００２】
従来、薬液容器に収容された薬液を患者に供給するために用いられるポンプユニットが知られている。このようなポンプユニットは、例えば特許文献１に見られるように、ポンプの吸込口が薬液容器につながる吸込側チューブに接続され、ポンプの吐出口が患者につながる吐出側チューブに接続された状態でポンプが駆動される。これにより、薬液容器内の薬液が吸込側チューブ、ポンプ及び吐出側チューブを介して患者に投与される。ポンプは、ポンプ室と、ダイヤフラムと、薬液が吸込口を通じてポンプ室に流入することのみを許容する吸込側の弁と、薬液が吐出口を通じてポンプ室から流出することのみ許容する吐出側の弁と、を有する。
【０００３】
このようなポンプユニットでは、使用中に吐出側チューブに閉塞が生じることによって当該吐出側チューブの圧力が上昇する場合がある。特許文献１に記載のポンプユニットは、そのような場合に、ポンプを迂回して吐出側チューブから吸込側チューブに薬液を戻すことが可能となっている。具体的に、特許文献１に記載のポンプユニットは、ポンプの吐出口と吐出側チューブとの間に設けられたバイパス開閉弁と、バイパス開閉弁と吸込側チューブとをつなぐバイパス配管と、を有している。バイパス開閉弁は、吐出口から吐出された薬液を吐出側チューブに導く流路と、吐出側チューブから戻された薬液をバイパス配管に導く流路と、を有している。このため、吐出側チューブの圧力が上昇した場合、吐出側チューブ、バイパス開閉弁及びバイパス配管を介して薬液が吸込側チューブに戻される。よって、吐出側チューブの圧力が高くなり過ぎることが抑制されるので、吐出側チューブの閉塞が解消されたときに薬液が急激に患者に投与されることが抑制される。
【先行技術文献】
【特許文献】
【０００４】
【特許文献１】特開２０１６−１０１２３３号公報
【発明の概要】
【発明が解決しようとする課題】
【０００５】
特許文献１に記載されるようなポンプユニットでは、ポンプが吸込側の弁及び吐出側の弁を有していることにより、薬液が吸込口から吐出口に向かう一方向にポンプを通過する流れ（薬液が吸込側チューブから吐出側チューブに向かう流れ）しか形成することができない。この薬液の流れの向きを変えるには、吸込側チューブ及び吐出側チューブからポンプユニットを取り外し、ポンプユニットの向きを逆にした状態で当該ポンプユニットを再度各チューブに接続する操作が必要になる。
【０００６】
本発明の目的は、液体が流れるラインから取り外すことなく、ポンプの吸込口側から吐出口側に向かって液体が流れる状態と、この状態とは逆向きに液体が流れる状態と、に切り替えることが可能なポンプユニットを提供することである。
【課題を解決するための手段】
【０００７】
前記課題を解決する手段として、本発明は、ポンプ室、前記ポンプ室に薬液を吸い込むための吸込口、前記ポンプ室から前記薬液を吐出するための吐出口、圧電素子、前記圧電素子の伸長及び収縮によって振動するダイヤフラム、前記液体が前記吸込口を通じて前記ポンプ室に流入するのを許容するとともに前記液体が前記吸込口を通じて前記ポンプ室から流出するのを規制する吸込側弁及び前記液体が前記吐出口を通じて前記ポンプ室から流出するのを許容するとともに前記液体が前記吐出口を通じて前記ポンプ室に流入するのを規制する吐出側弁を有するポンプと、第１流路及び第２流路を有するとともに、前記第１流路が前記吸込口につながるとともに前記第２流路が前記吐出口につながる順流状態と、前記第１流路が前記吐出口につながるとともに前記第２流路が前記吸込口につながる逆流状態と、を切り替え可能な回路と、を備える、ポンプユニットを提供する。
【０００８】
本ポンプユニットは、順流状態と逆流状態とを切り替え可能な回路を備えているので、例えば、順流状態において第２流路に接続された第２チューブ内の圧力が上昇した際に当該回路を逆流状態に切り替えることによって第２チューブ内の圧力を減少させることや、第２チューブが薬液を収容する収容容器に接続されかつ第１チューブが薬液容器（輸液バッグ等）に接続された状態で回路を逆流状態とすることによって収容容器から薬液容器に薬液を充填することが可能となる。
【０００９】
この場合において、前記回路は、前記第１流路と前記吸込口とを接続する第１接続流路と、前記第１流路と前記吐出口とを接続する第２接続流路と、前記第２流路と前記吐出口とを接続する第３接続流路と、前記第２流路と前記吸込口とを接続する第４接続流路と、前記順流状態となるように前記第１接続流路及び前記第３接続流路を開くとともに前記第２接続流路及び前記４接続流路を閉じる正状態と、前記逆流状態となるように前記第２接続流路及び前記第４接続流路を開くとともに前記第１接続流路及び前記第３接続流路を閉じる逆状態と、に切り替え可能な切替機構と、を含むことが好ましい。
【００１０】
この態様では、切替機構によって各接続流路の開閉状態を切り替えることによって順流状態と逆流状態とを切り替えることができる。
【００１１】
また、前記切替機構は、前記第１接続流路、前記第２接続流路、前記第３接続流路及び前記４接続流路の全てを開く中立状態にも切り替え可能であることが好ましい。
【００１２】
このようにすれば、切替機構を中立状態とすることによって各接続流路に液体を満たすことが可能となるので、例えば点滴におけるプライミングが容易になる。
【００１３】
また、前記切替機構は、前記正状態のときに前記第１接続流路及び前記第３接続流路が開放されかつ前記第２接続流路及び前記第４接続流路が閉塞されるように前記第２接続流路及び前記第４接続流路を押圧することが可能であるとともに、前記逆状態のときに前記第２接続流路及び前記第４接続流路が開放されかつ前記第１接続流路及び前記第３接続流路が閉塞されるように前記第１接続流路及び前記第３接続流路を押圧することが可能な押圧部材を有することが好ましい。
【００１４】
この態様では、各接続流路の開閉を切り替えるバルブを用いることなく簡単に正状態と逆状態とを切り替えることが可能となる。
【００１５】
また、前記ポンプ、前記第１流路、前記第２流路、前記第１接続流路、前記第２接続流路、前記第３接続流路及び前記第４接続流路と、前記押圧部材と、は互いに分離可能に構成されていることが好ましい。
【００１６】
このようにすれば、液体が通過する部材を廃棄する一方で押圧部材を再利用することが可能となる。
【００１７】
前記回路は、前記順流状態において前記第２流路に接続されたチューブ内の圧力が閾値以上となったときに、前記切替機構を前記正状態から前記逆状態に変更する制御部をさらに含むことが好ましい。
【００１８】
このようにすれば、順流状態において第２流路に接続されたチューブ内の圧力が閾値以上となったときに逆流状態となるので、つまり、第２流路から第１流路に向かう流れが形成されるので、第２流路に接続されたチューブ内の圧力が高くなり過ぎることが回避される。このため、例えば順流状態で第２流路に接続されたチューブの閉塞状態が解除されたときに第１流路から第２流路に向かって急激な流れが形成されることが回避される。
【発明の効果】
【００１９】
以上のように、本発明によれば、液体が流れるラインから取り外すことなく、ポンプの吸込口側から吐出口側に向かって液体が流れる状態と、この状態とは逆向きに液体が流れる状態と、に切り替えることが可能なポンプユニットを提供することができる。
【図面の簡単な説明】
【００２０】
【図１】本発明の第１実施形態のポンプユニットの正面図である。
【図２】図１に示されるポンプユニットの主要部分の分解斜視である。
【図３】ポンプの断面図である。
【図４】図１に示されるポンプユニットの押圧部材等の斜視図である。
【図５】図１に示されるポンプユニットの押圧部材等の正面図である。
【図６】図１に示されるポンプユニットの基板等の正面図である。
【図７】切替機構の押圧部材が正状態にある状態を示す図である。
【図８】順流状態を示す概略図である。
【図９】逆流状態を示す概略図である。
【図１０】中立状態にある押圧部材と薬液の流れとの関係を示す概略図である。
【図１１】収容容器から輸液バッグに薬液を充填する状態を示す概略図である。
【図１２】本発明の第２実施形態のポンプユニットの正面図である。
【図１３】図１２に示されるポンプユニットの分解斜視図である。
【図１４】図１２に示されるポンプユニットの主要部分の分解斜視である。
【図１５】積層体の分解斜視図である。
【図１６】積層体の平面図である。
【図１７】図１６のＸＶＩＩ−ＸＶＩＩ線での断面図である。
【図１８】第１被押圧部が押圧された状態（第１接続流路が遮断された状態）を示す図である。
【図１９】図１６のＸＩＸ−ＸＩＸ線での断面図である。
【図２０】順流状態を示す概略図である。
【図２１】逆流状態を示す概略図である。
【図２２】切替機構の変形例を示す概略図である。
【図２３】切替機構の変形例を示す概略図である。
【図２４】切替機構の変形例を示す概略図である。
【発明を実施するための形態】
【００２１】
以下、本発明の好ましい実施形態について、図面を参照しながら説明する。
【００２２】
（第１実施形態）
本発明の第１実施形態のポンプユニット１について、図１〜図１１を参照しながら説明する。このポンプユニット１は、液体（本実施形態では薬液）が流れるラインを特定の方向及びその逆方向のいずれにも送液することが可能である。具体的に、ポンプユニット１は、ポンプ１００と、回路と、を備えている。
【００２３】
ポンプ１００は、薬液を吸い込む吸込口１０１（図８〜図１１を参照）と、薬液を吐出する吐出口１０２（図８〜図１１を参照）と、を有している。本実施形態では、ポンプ１００としていわゆるダイヤフラムポンプが用いられている。図３に示されるように、ポンプ１００は、吸込口１０１及び吐出口１０２につながるポンプ室１１０と、圧電素子１２０と、圧電素子の伸長及び収縮によって振動するダイヤフラム１３０と、薬液が吸込口１０１を通じてポンプ室１１０に流入するのを許容するとともに液体が吸込口１０１を通じてポンプ室１１０から流出するのを規制する吸込側弁１４０と、液体が吐出口１０２を通じてポンプ室１１０から流出するのを許容するとともに液体が吐出口１０２を通じてポンプ室１１０に流入するのを規制する吐出側弁１５０と、を含んでいる。
【００２４】
回路は、第１流路２０１及び第２流路２０２を有するとともに、第１流路２０１からポンプ１００を経由して第２流路２０２に薬液が流れる順流状態と、第２流路２０２からポンプ１００を経由して第１流路２０１に液体が流れる逆流状態と、を切り替え可能である。本実施形態では、回路は、前記第１流路２０１及び第２流路２０２を含むベース２００と、第１接続流路３０１と、第２接続流路３０２と、第３接続流路３０３と、第４接続流路３０４と、押圧部材３１０と、を有する。
【００２５】
図２及び図７に示されるように、ベース２００は、筒状に形成された枠部２１０と、ポンプ１００を保持するポンプ保持部２２１〜２２４と、４つの突部２３０と、を有している。
【００２６】
枠部２１０は、本実施形態では四角筒状に形成されている。図７に示されるように、枠部２１０は、前記第１流路２０１及び前記第２流路２０２を有している。具体的に、第１流路２０１は、枠部２１０の４つの角部のうちの第１角部に形成されている。第２流路２０２は、枠部２１０の４つの角部のうち前記第１角部と対向する位置の角部である第３角部に形成されている。第１流路２０１には、第１チューブ１１が接続可能であり、第２流路２０２には、第２チューブ１２が接続可能である。
【００２７】
ポンプ保持部は、枠部２１０の各角部の内周面から当該枠部２１０の径方向の内側に向かって張り出す形状を有している。具体的に、ポンプ保持部は、第１角部に接続された第１保持部２２１と、第３角部に接続された第３保持部２２３と、枠部２１０のうち第１角部と第３角部との間に形成された角部である第２角部に接続された第２保持部２２２と、枠部２１０のうち第２角部と対向する位置に形成された角部である第４角部に接続された第４保持部２２４と、を有している。第１保持部２２１には、当該第１保持部２２１を枠部２１０の周方向に貫通する第１貫通穴２２１ｈ（図７を参照）が形成されている。第１貫通穴２２１ｈは、第１流路２０１と連通している。第２保持部２２２には、当該第２保持部２２２を枠部２１０の周方向に貫通する第２貫通穴２２２ｈ（図７を参照）と、第２貫通穴２２２ｈを第２保持部２２２の上部に開放するとともにポンプ１００の吸込口１０１に連通する吸込連通穴２２２Ｈと、が形成されている。第３保持部２２３には、当該第３保持部２２３を枠部２１０の周方向に貫通する第３貫通穴２２３ｈ（図７を参照）が形成されている。第３貫通穴２２３ｈは、第２流路２０２と連通している。第４保持部２２４には、当該第４保持部２２４を枠部２１０の周方向に貫通する第４貫通穴２２４ｈと、第４貫通穴２２４ｈを第４保持部２２４の上部に開放するとともにポンプ１００の吐出口１０２に連通する吐出連通穴２２４Ｈと、が形成されている。
【００２８】
各突部２３０は、枠部２１０の内周面のうち各保持部２２１〜２２４の間に位置する部位から当該枠部２１０の径方向の内側に向かって突出する形状を有する。具体的に、各突部２３０は、前記径方向の内側に向かって凸となるように湾曲する形状を有している。
【００２９】
第１接続流路３０１は、第１流路２０１とポンプ１００の吸込口１０１とを接続する。第１接続流路３０１の一端は、第１保持部２２１の第１貫通穴２２１ｈに挿通され、第１接続流路３０１の他端は、第２保持部２２２の第２貫通穴２２２ｈに挿通される。これにより、第１流路２０１と吸込連通穴２２２Ｈとが第１接続流路３０１を介して連通する。第１接続流路３０１は、第１保持部２２１及び第２保持部２２２に接続された状態で突部２３０に沿うように湾曲する形状を有する。
【００３０】
第２接続流路３０２は、第１流路２０１とポンプ１００の吐出口１０２とを接続する。第２接続流路３０２の一端は、第１保持部２２１の第１貫通穴２２１ｈに挿通され、第２接続流路３０２の他端は、第４保持部２２４の第２貫通穴２２４ｈに挿通される。これにより、第１流路２０１と吐出連通穴２２４Ｈとが第２接続流路３０２を介して連通する。第２接続流路３０２は、第１保持部２２１及び第４保持部２２４に接続された状態で突部２３０に沿うように湾曲する形状を有する。
【００３１】
第３接続流路３０３は、第２流路２０２とポンプ１００の吐出口１０２とを接続する。第３接続流路３０３の一端は、第３保持部２２３の第３貫通穴２２３ｈに挿通され、第３接続流路３０３の他端は、第４保持部２２４の第２貫通穴２２４ｈに挿通される。これにより、第２流路２０２と吐出連通穴２２４Ｈとが第３接続流路３０３を介して連通する。第３接続流路３０３は、第３保持部２２３及び第４保持部２２４に接続された状態で突部２３０に沿うように湾曲する形状を有する。
【００３２】
第４接続流路３０４は、第２流路２０２とポンプ１００の吸込口１０１とを接続する。第４接続流路３０４の一端は、第３保持部２２３の第３貫通穴２２３ｈに挿通され、第４接続流路３０４の他端は、第２保持部２２２の第２貫通穴２２２ｈに挿通される。これにより、第２流路２０２と吸込連通穴２２２Ｈとが第４接続流路３０４を介して連通する。第４接続流路３０４は、第２保持部２２２及び第３保持部２２３に接続された状態で突部２３０に沿うように湾曲する形状を有する。
【００３３】
これら４つの接続流路３０１〜３０４がベース２００に接続され、かつ、ポンプ１００がポンプ保持部２２１〜２２４に保持された状態で枠部２１０にカバー４００が装着される。
【００３４】
押圧部材３１０は、互いに対向する位置に設けられた一対の突部２３０とともに第１接続流路３０１及び第３接続流路３０３を押圧する、あるいは、互いに対向する位置に設けられた一対の突部２３０とともに第２接続流路３０２及び第４接続流路３０４を押圧することが可能である。具体的に、押圧部材３１０は、一対の突部２３０とともに第１接続流路３０１及び第３接続流路３０３を同時に押し潰す、あるいは、一対の突部２３０とともに第２接続流路３０２及び第４接続流路３０４を同時に押し潰す押圧部３１５を有する。つまり、押圧部材３１０及び各突部２３０は、順流状態となるように第１接続流路３０１及び第３接続流路３０３を開くとともに第２接続流路３０２及び４接続流路３０４を閉じる正状態（図７及び図８に示される姿勢）と、逆流状態となるように第２接続流路３０２及び第４接続流路３０４を開くとともに第１接続流路３０１及び第３接続流路３０３を閉じる逆状態（図９に示される姿勢）と、に切り替え可能な切替機構を構成する。具体的に、切替機構（押圧部材３１０及び各突部２３０）は、正状態であるときに第１接続流路３０１及び第３接続流路３０３が開放されかつ第２接続流路３０２及び第４接続流路３０４が閉塞されるように第２接続流路３０２及び第４接続流路３０４を押圧することが可能であるとともに、逆状態であるときに第２接続流路３０２及び第４接続流路３０４が開放されかつ第１接続流路３０１及び第３接続流路３０３が閉塞されるように第１接続流路３０１及び第３接続流路３０３を押圧することが可能である。この切替機構は、各接続流路３０１〜３０４の全てを開く中立状態（図１０に示される姿勢）にも切り替え可能である。
【００３５】
図１及び図５に示されるように、押圧部材３１０には、摘み３２０が接続されている。摘み３２０及び押圧部材３１０は、保持板３３０に保持されている。具体的に、保持板３３０は、図５に示されるように、当該保持板３３０の一方側に押圧部材３１０が配置されるとともに他方側に摘み３２０が配置されるように押圧部材３１０及び摘み３２０を保持する。押圧部材３１０及び摘み３２０は、保持板３３０に対して一体的に回転可能である。
【００３６】
保持板３３０には、第２流路２０２に接続されることが可能な第２チューブ１２を受けるチューブ受け３３１が設けられている。チューブ受け３３１は、第２チューブ１２を挟持可能な形状を有している。また、保持板３３０には、枠部２１０を位置決め可能な位置決め突起３３２が設けられている。なお、図７に示されるように、枠部２１０には、位置決め突起３３２に対応する凹部２１２が設けられている。
【００３７】
本実施形態では、回路は、ポンプ１００に接続される電極ピン４１１を有する基板４１０に設けられた閉塞センサ４２０と、プローブ４３０と、報知部４４０と、停止部４５０と、をさらに有する。プローブ４３０は、基板４１０とカバー４００との間に配置される板材４１２に保持されている。プローブ４３０は、板材４１２に対して当該板材４１２の厚さ方向に変位可能である。プローブ４３０は、チューブ受け３３１に受けられている第２チューブ１２に対して板材４１２の厚さ方向に当接している。このため、第２チューブ１２が閉塞することによって当該第２チューブ１２が膨張したときに、プローブ４３０はチューブ受け３３１から離間する方向（閉塞センサ４２０に近づく方向）に変位する。閉塞センサ４２０は、このプローブ４３０の変位に基づいて第２チューブ１２の閉塞（第２チューブ１２内の圧力の上昇）を検出する。報知部４４０は、閉塞センサ４２０の検出値（第２チューブ１２内の圧力）が閾値以上となったときに警告音等を発する。停止部４５０は、閉塞センサ４２０の検出値が前記閾値以上となったときにポンプ１００を停止させる。また、回路は、順流状態において第２チューブ１２内の圧力（閉塞センサ４２０の検出値）が前記閾値以上となったときに、切替機構の押圧部材３１０を正状態から逆状態に変更する制御部４６０をさらに有していてもよい。
【００３８】
次に、本実施形態のポンプユニット１の使用方法について、図７〜図１１を参照しながら説明する。以下では、薬液容器（本実施形態では輸液バッグ１４）内の薬液を患者に投与する場合について説明する。なお、図７〜図１１は、第１流路２０１、第２流路２０２、各接続流路３０１〜３０４、ポンプ１００の吸込口１０１及び吐出口１０２、各突部２３０及び押圧部材３１０の概略図であり、図１１は、ポンプユニット１を逆流状態とすることにより薬液を収容する収容容器１３から輸液バッグ１４に薬液を充填する状態を示す模式図である。なお、薬液容器として、シリンジ等が用いられてもよい。
【００３９】
まず、図１１に示されるように、第２チューブ１２の一端を収容容器１３内に挿入するとともに、第１チューブ１１の一端を輸液バッグ１４に挿入する。そして、押圧部材３１０を逆状態（図９に示される状態）とする。これにより、第２流路２０２からポンプ１００を経由して第１流路２０１に薬液が流れる状態（逆流状態）となる。この状態でポンプ１００を駆動する。これにより、収容容器１３内の薬液が輸液バッグ１４に充填される。輸液バッグ１４への薬液の充填が完了した後、ポンプ１００が停止される。
【００４０】
その後、切替機構の押圧部材３１０を中立状態（図１０に示される状態）に切り替え、例えば輸液バッグ１４を手などで加圧することによって各接続流路３０１〜３０４に薬液を満たす（プライミングを行う）。
【００４１】
次に、第２チューブ１２を患者に接続するとともに、切替機構の押圧部材３１０を正状態（図８に示される状態）に切り替える。これにより、第１流路２０１からポンプ１００を経由して第２流路２０２に薬液が流れる状態（順流状態）となる。この状態でポンプ１００を駆動する。これにより、輸液バッグ１４内の薬液が患者に投与される。
【００４２】
ここで、患者への薬液の投与中に第２チューブ１２が閉塞した場合、第２チューブ１２の膨張に伴ってプローブ４３０が変位し、この変位を閉塞センサ４２０が検出する。そして、閉塞センサ４２０の検出値が前記閾値以上となったとき、停止部４５０はポンプ１００の駆動を停止し、報知部４４０は警報を発する。
【００４３】
その後、切替機構の押圧部材３１０を逆状態に切り替える。そうすると、相対的に高圧の第２チューブ１２から相対的に低圧の第１チューブ１１に向かって薬液が流れるので、第２チューブ１２内の圧力が有効に低下する。なお、この押圧部材３１０の逆状態への切り替えは、手動で行われてもよいし、制御部４６０によって自動で行われてもよい。
【００４４】
続いて、報知部４４０の警報を受けた医療従事者ないし患者は、第２チューブ１２の閉塞状態を解消させる。そして、押圧部材３１０を正状態に切り替え、再びポンプ１００を駆動する。これにより、薬液の患者への投与が再開される。
【００４５】
以上に説明したように、本実施形態のポンプユニット１では、順流状態と逆流状態とを切り替え可能な回路を備えているので、例えば、順流状態において第２流路２０２に接続された第２チューブ１２内の圧力が上昇した際に当該回路を逆流状態に切り替えることによって第２チューブ１２内の圧力を減少させることや、第２チューブ１２が収容容器１３に接続されかつ第１流路２０１に接続された第１チューブ１１が輸液バッグ１４に接続された状態で回路を逆流状態とすることによって収容容器１３から輸液バッグ１４に薬液を充填することが可能となる。
【００４６】
また、切替機構は、前記中立状態にも切り替え可能であるので、各接続流路３０１〜３０４に液体を満たすいわゆるプライミングが容易になる。
【００４７】
さらに、切替機構は、正状態であるときに第１接続流路３０１及び第３接続流路３０３が開放されかつ第２接続流路３０２及び第４接続流路３０４が閉塞されるように第２接続流路３０２及び第４接続流路３０４を押圧することが可能であるとともに、逆状態であるときに第２接続流路３０２及び第４接続流路３０４が開放されかつ第１接続流路３０１及び第３接続流路３０３が閉塞されるように第１接続流路３０１及び第３接続流路３０３を押圧することが可能な押圧部材３１０を有している。よって、各接続流路３０１〜３０４の開閉を切り替えるバルブを用いることなく簡単に正状態と逆状態とを切り替えることが可能となる。
【００４８】
また、押圧部材３１０は、ポンプ１００、第１流路２０１及び第２流路２０２を含むベース２００及び各接続流路３０１〜３０４から分離可能に構成されているので、薬液が通過する部材を廃棄する一方で押圧部材３１０を再利用することが可能となる。
【００４９】
なお、図２２〜図２４に示されるように、切替機構は、各接続流路３０１〜３０４間に設けられた４つの三方活栓３１１〜３１４で構成されてもよい。図２２は順流状態を示しており、図２３は逆流状態を示しており、図２４は中立状態を示している。
【００５０】
第１三方活栓３１１は、第１流路２０１と第１接続流路３０１と第２接続流路３０２との交点に設けられている。第１三方活栓３１１は、第１流路２０１及び第１接続流路３０１間のみを連通させる状態（図２２に示される状態）と、第１流路２０１及び第２接続流路３０２間のみを連通させる状態（図２３に示される状態）と、第１流路２０１、第１接続流路３０１及び第２接続流路３０２の全てを連通させる状態（図２４に示される状態）と、に切り替え可能である。
【００５１】
第２三方活栓３１２は、ポンプ１００の吸込口１０１と第１接続流路３０１と第４接続流路３０４との交点に設けられている。第２三方活栓３１２は、吸込口１０１及び第１接続流路３０１間のみを連通させる状態（図２２に示される状態）と、吸込口１０１及び第４接続流路３０４間のみを連通させる状態（図２３に示される状態）と、吸込口１０１、第１接続流路３０１及び第４接続流路３０４の全てを連通させる状態（図２４に示される状態）と、に切り替え可能である。
【００５２】
第３三方活栓３１３は、ポンプ１００の吐出口１０２と第２接続流路３０２と第３接続流路３０３との交点に設けられている。第３三方活栓３１３は、吐出口１０２及び第３接続流路３０３間のみを連通させる状態（図２２に示される状態）と、吐出口１０２及び第２接続流路３０２間のみを連通させる状態（図２３に示される状態）と、吐出口１０２、第２接続流路３０２及び第３接続流路３０３の全てを連通させる状態（図２４に示される状態）と、に切り替え可能である。
【００５３】
第４三方活栓３１４は、第２流路２０２と第３接続流路３０３と第４接続流路３０４との交点に設けられている。第４三方活栓３１４は、第２流路２０２及び第３接続流路３０３間のみを連通させる状態（図２２に示される状態）と、第２流路２０２及び第４接続流路３０４間のみを連通させる状態（図２３に示される状態）と、第２流路２０２、第３接続流路３０３及び第４接続流路３０４の全てを連通させる状態（図２４に示される状態）と、に切り替え可能である。
【００５４】
このように、４つの三方活栓３１１〜３１４によっても、順流状態、逆流状態及び中立状態の切替が可能である。
【００５５】
（第２実施形態）
次に、図１２〜図２１を参照しながら、本発明の第２実施形態のポンプユニット２について説明する。本実施形態のポンプユニット２も、ポンプ１００と、回路と、を備えている。
【００５６】
ポンプ１００の構造は、第１実施形態のポンプ１００の構造と同じである。
【００５７】
回路は、第１流路５０１及び第２流路５０２を含むベース５００（図１４を参照）と、積層体６０２と、複数の（本実施形態では４つの）押圧部材６７１〜６７４（図１２及び図１３を参照）と、を有している。
【００５８】
図１４に示されるように、ベース５００は、前記第１流路５０１と、前記第２流路５０２と、ベース本体５０３と、を有している。第１流路５０１及び第２流路５０２は、ベース本体５０３に接続されている。ベース本体５０３には、電極５０４が設けられている。
【００５９】
積層体６０２は、第１流路５０１とポンプ１００の吸込口１０１（図２０及び図２１を参照）とを接続する第１接続流路と、第１流路５０１とポンプ１００の吐出口１０２（図２０及び図２１を参照）とを接続する第２接続流路と、第２流路５０２とポンプ１００の吐出口１０２とを接続する第３接続流路と、第２流路５０２とポンプ１００の吸込口１０１とを接続する第４接続流路と、を含んでいる。図１５に示されるように、積層体６０２は、第１層６１０と、第２層６２０と、第３層６３０と、第４層６４０と、第５層６５０と、第６層６６０と、を有している。各層６１０〜６６０は、矩形状に形成されている。各層６１０〜６６０は、互いに接合されている。本実施形態では、各層６１０〜６６０は、弾性変形可能な材料ないし可撓性を有する材料（例えばゴム）からなる。ただし、第１層６１０、第２層６２０及び第６層６６０については、そのような材料とは異なる材料で構成されてもよい。以下、各層６１０〜６６０が互いに積層される方向（図１５の上下方向）を積層方向と称する。
【００６０】
第２層６２０は、第１層６１０上に積層されている。第２層６２０は、第１溝部６２１と、第２溝部６２２と、第３溝部６２３と、第４溝部６２４と、第１溝遮断部６２５と、第２溝遮断部６２６と、第３溝遮断部６２７と、第４溝遮断部６２８と、を有している。
【００６１】
第１溝部６２１は、第２層６２０の外縁部に沿って直線状に延びる形状を有する第１直線部６２１ａと、第１直線部６２１ａの一端部から第１直線部６２１ａと直交する方向に沿って直線状に延びる形状を有する第２直線部６２１ｂと、第１直線部６２１ａの他端部から第１直線部６２１ａと直交する方向に沿って直線状に延びる形状を有する第３直線部６２１ｃと、第１直線部６２１ａの中間部から第１直線部６２１ａと直交する方向に沿って直線状に延びる形状を有する第４直線部６２１ｄと、を有する。
【００６２】
第２溝部６２２は、第１直線部６２１ａと平行でかつ第２層６２０と直交する面を基準として第１溝部６２１と対称な形状を有している。すなわち、第２溝部６２２は、前記面を基準として第１直線部６２１ａと対称となる位置に形成された第１直線部６２２ａと、前記面を基準として第２直線部６２１ｂと対称となる位置に形成された第２直線部６２２ｂと、前記面を基準として第３直線部６２１ｃと対称となる位置に形成された第３直線部６２２ｃと、前記面を基準として第４直線部６２１ｄと対称となる位置に形成された第４直線部６２２ｄと、を有している。
【００６３】
第３溝部６２３は、第１溝部６２１の第４直線部６２１ｄと第２溝部６２２の第４直線部６２２ｄとの間で各第４直線部６２１ｄ，６２２ｄと平行に直線状に延びる形状を有している。第１溝部６２１の第４直線部６２１ｄと第３溝部６２３との間は、第２層６２０により遮断されている。第２層６２０のうち第１溝部６２１の第４直線部６２１ｄと第３溝部６２３との間の部位が前記第１溝遮断部６２５を構成する。同様に、第２層６２０のうち第２溝部６２２の第４直線部６２２ｄと第３溝部６２３との間の部位が前記第２溝遮断部６２６を構成する。
【００６４】
第４溝部６２４は、第１溝部６２１の第３直線部６２１ｃと第２溝部６２２の第３直線部６２２ｃとの間で各第３直線部６２１ｃ，６２２ｃと平行に直線状に延びる形状を有している。第１溝部６２１の第３直線部６２１ｃと第４溝部６２４との間は、第２層６２０により遮断されている。第２層６２０のうち第１溝部６２１の第３直線部６２１ｃと第４溝部６２４との間の部位が前記第４溝遮断部６２８を構成する。同様に、第２層６２０のうち第２溝部６２２の第３直線部６２２ｃと第４溝部６２４との間の部位が前記第３溝遮断部６２７を構成する。
【００６５】
第３層６３０は、第２層６２０上に積層されている。第３層６３０は、ポンプ１００の吸込口１０１に連通する吸込連通口６３１と、ポンプ１００の吐出口１０２に連通する吐出連通口６３２と、一対の第１連絡口６３５と、一対の第２連絡口６３６と、一対の第３連絡口６３７と、一対の第４連絡口６３８と、を有する。
【００６６】
吸込連通口６３１は、積層方向に第２層６２０の第３溝部６２３の一部と重なる位置に形成されており、第３溝部６２３を上方に開放する。
【００６７】
吐出連通口６３２は、積層方向に第２層６２０の第４溝部６２４の一部と重なる位置に形成されており、第４溝部６２４を上方に開放する。
【００６８】
図１５〜図１７に示されるように、一対の第１連絡口６３５は、積層方向について第１溝部６２１の第４直線部６２１ｄ及び第３溝部６２３と重なる位置に形成されている。一対の第１連絡口６３５の一方は、第４直線部６２１ｄを上方に開放し、一対の第１連絡口６３５の他方は、第３溝部６２３を上方に開放する。第３層６３０のうち一対の第１連絡口６３５の間の部位は、積層方向について第１溝遮断部６２５と重なっている。
【００６９】
一対の第２連絡口６３６は、積層方向について第２溝部６２２の第４直線部６２２ｄ及び第３溝部６２３と重なる位置に形成されている。一対の第２連絡口６３６の一方は、第４直線部６２２ｄを上方に開放し、一対の第２連絡口６３６の他方は、第３溝部６２３を上方に開放する。第３層６３０のうち一対の第２連絡口６３６の間の部位は、積層方向について第２溝遮断部６２６と重なっている。
【００７０】
一対の第３連絡口６３７は、積層方向について第２溝部６２２の第３直線部６２２ｃ及び第４溝部６２４と重なる位置に形成されている。一対の第３連絡口６３７の一方は、第３直線部６２２ｃを上方に開放し、一対の第３連絡口６３７の他方は、第４溝部６２４を上方に開放する。第３層６３０のうち一対の第３連絡口６３７の間の部位は、積層方向について第３溝遮断部６２７と重なっている。
【００７１】
一対の第４連絡口６３８は、積層方向について第１溝部６２１の第３直線部６２１ｃ及び第４溝部６２４と重なる位置に形成されている。一対の第４連絡口６３８の一方は、第３直線部６２１ｃを上方に開放し、一対の第４連絡口６３８の他方は、第４溝部６２４を上方に開放する。第３層６３０のうち一対の第４連絡口６３８の間の部位は、積層方向について第４溝遮断部６２８と重なっている。
【００７２】
第４層６４０は、第３層６３０上に積層されている。第４層６４０は、吸込連通口６４１と、吐出連通口６４２と、第１連通口６４５と、第２連通口６４６と、第３連通口６４７と、第４連通口６４８と、を有する。
【００７３】
吸込連通口６４１は、積層方向に第３層６３０の吸込連通口６３１と重なる位置に形成されており、第３溝部６２３を上方に開放する。
【００７４】
吐出連通口６４２は、積層方向に第３層６３０の吐出連通口６３２と重なる位置に形成されており、第４溝部６２４を上方に開放する。
【００７５】
図１５及び図１７に示されるように、第１連通口６４５は、積層方向に一対の第１連絡口６３５と重なる位置に形成されており、一対の第１連絡口６３５を介して第１溝部６２１の第４直線部６２１ｄと第３溝部６２３とを連通させる。
【００７６】
第２連通口６４６は、積層方向に一対の第２連絡口６３６と重なる位置に形成されており、一対の第２連絡口６３６を介して第２溝部６２２の第４直線部６２２ｄと第３溝部６２３とを連通させる。
【００７７】
第３連通口６４７は、積層方向に一対の第３連絡口６３７と重なる位置に形成されており、一対の第３連絡口６３７を介して第２溝部６２２の第３直線部６２２ｃと第４溝部６２４とを連通させる。
【００７８】
第４連通口６４８は、積層方向に一対の第４連絡口６３８と重なる位置に形成されており、一対の第４連絡口６３８を介して第１溝部６２１の第３直線部６２１ｃと第４溝部６２４とを連通させる。
【００７９】
第５層６５０は、第４層６４０上に積層されている。第５層６５０は、吸込連通口６５１と、吐出連通口６５２と、第１被押圧部６５５と、第２被押圧部６５６と、第３被押圧部６５７と、第４被押圧部６５８と、を有する。
【００８０】
吸込連通口６５１は、積層方向に第４層６４０の吸込連通口６４１と重なる位置に形成されており、第３溝部６２３を上方に開放する。
【００８１】
吐出連通口６５２は、積層方向に第４層６４０の吐出連通口６４２と重なる位置に形成されており、第４溝部６２４を上方に開放する。
【００８２】
図１５及び図１７に示されるように、第１被押圧部６５５は、積層方向に第４層６４０の第１連通口６４５と重なる位置に形成されている。同様に、第２被押圧部６５６〜第４被押圧部６５８は、それぞれ、第２連通口６４６〜第４連通口６４８と重なる位置に形成されている。
【００８３】
第６層６６０は、第５層６５０上に積層されている。第６層６６０は、ポンプ１００を受け入れるポンプ受入部６６１と、第１切欠部６６２と、第２切欠部６６３と、第１開口部６６５と、第２開口部６６６と、第３開口部６６７と、第４開口部６６８と、を有する。
【００８４】
第１切欠部６６２は、第６層６６０の縁部に形成されている。この第１切欠部６６２は、積層方向に第２層６２０の第１溝部６２１の第１直線部６２１ａと重なる位置に形成されている。
【００８５】
第２切欠部６６３は、第６層６６０の縁部に形成されている。図１９に示されるように、この第２切欠部６６３は、積層方向に第２層６２０の第２溝部６２２の第１直線部６２２ａと重なる位置に形成されている。
【００８６】
図１５〜図１７に示されるように、第１開口部６６５は、積層方向に第５層６５０の第１被押圧部６５５と重なる位置に形成されている。同様に、第２開口部６６６〜第４開口部６６８は、それぞれ、第２被押圧部６５６〜第４被押圧部６５８と重なる位置に形成されている。
【００８７】
以上に説明した積層体６０２のポンプ受入部６６１にポンプ１００が載置され、第６層６６０上にベース５００が載置されることにより、第１流路５０１は、第１溝部６２１の第２直線部６２１ｂ、第１直線部６２１ａ、第４直線部６２１ｄ、一対の第１連絡口６３５、第１連通口６４５、第３溝部６２３、吸込連通口６３１、吸込連通口６４１及び吸込連通口６５１を介してポンプ１００の吸込口１０１につながる。つまり、第１溝部６２１の第２直線部６２１ｂから吸込連通口６５１に至る流路が前記第１接続流路を構成する。
【００８８】
また、第１流路５０１は、第１溝部６２１の第２直線部６２１ｂ、第１直線部６２１ａ、第３直線部６２１ｃ、一対の第４連絡口６３８、第４連通口６４８、第４溝部６２４、吐出連通口６３２、吐出連通口６４２及び吐出連通口６５２を介してポンプ１００の吐出口１０２につながる。つまり、第１溝部６２１の第２直線部６２１ｂから吐出連通口６５２に至る流路が前記第２接続流路を構成する。
【００８９】
また、第２流路５０２は、第２溝部６２２の第２直線部６２２ｂ、第１直線部６２２ａ、第３直線部６２２ｃ、一対の第３連絡口６３７、第３連通口６４７、第４溝部６２４、吐出連通口６３２、吐出連通口６４２及び吐出連通口６５２を介してポンプ１００の吐出口１０２につながる。つまり、第２溝部６２２の第２直線部６２２ｂから吐出連通口６５２に至る流路が前記第３接続流路を構成する。
【００９０】
また、第２流路５０２は、第２溝部６２２の第２直線部６２２ｂ、第１直線部６２２ａ、第４直線部６２２ｄ、一対の第２連絡口６３６、第２連通口６４６、第３溝部６２３、吸込連通口６３１、吸込連通口６４１及び吸込連通口６５１を介してポンプ１００の吸込口１０１につながる。つまり、第２溝部６２２の第２直線部６２２ｂから吸込連通口６５１に至る流路が前記第４接続流路を構成する。
【００９１】
本実施形態では、積層体６０２のポンプ受入部６６１にポンプ１００が載置され、第６層６６０の上にベース５００が載置された状態で積層体６０２、ポンプ１００及びベース５００がケーシング７０１に収容されている。ケーシング７０１は、下ケース７０２と上ケース７０４とを有する。図１４に示されるように、上ケース７０４のうち、積層方向に第６層６６０の各開口部６６５〜６６８と重なる位置には、それぞれ開口部７０５が設けられている。また、ベース本体５０３のうち、積層方向に第６層６６０の各開口部６６５〜６６８及び上ケース７０４の各開口部７０５と重なる位置には、それぞれ開口部５０５が設けられている。ケーシング７０１は、図１２及び図１３に示されるように、下保持部材７１２及び上保持部材７１４に保持されている。
【００９２】
各押圧部材６７１〜６７４は、第１実施形態と同様に、正状態と逆状態と中立状態とに切り替え可能である。これら押圧部材６７１〜６７４は、ベース５００の電極５０４に接続されるコンタクト（図示略）を含む基板７２０に接続されている。本実施形態では、各押圧部材６７１〜６７４は、ソレノイドで構成されている。具体的に、各押圧部材６７１〜６７４は、上ケース７０４の各開口部７０５、ベース本体５０３の各開口部５０５及び第６層６６０の各開口部６６５〜６６８に挿通可能な形状を有するとともに、第５層６５０の各被押圧部６５５〜６５８を積層方向に沿って第２層６２０に向けて押圧可能な押圧部６７５を有している。例えば、第１押圧部材６７１は、第１溝部６２１の第４直線部６２１ｄと第３溝部６２３との連通が遮断される（第１接続流路が閉じられる）ように押圧部６７５が第１被押圧部６５５を第１溝遮断部６２５に向けて押圧する押圧位置（図１８に示される位置）と、第１溝部６２１の第４直線部６２１ｄが一対の第１連絡口６３５及び第１連通口６４５を介して第３溝部６２３に連通する（第１接続流路が開かれる）ように押圧部６７５が第１被押圧部６５５から退避する位置と、の間で押圧部６７５を変位させる。このことは、第２押圧部材６７２〜第４押圧部材６７４についても同様である。つまり、本実施形態では、各押圧部材６７１〜６７４、各被押圧部６５５〜６５８及び各溝遮断部６２５〜６２８が切替機構を構成する。
【００９３】
例えば、第１押圧部材６７１及び第３押圧部材６７３が退避位置とされ、第２押圧部材６７２及び第４押圧部材６７４が押圧位置とされることにより、ポンプユニット２は順流状態（図２０に示される状態）となる。つまり、第１押圧部材６７１及び第３押圧部材６７３が退避位置とされ、第２押圧部材６７２及び第４押圧部材６７４が押圧位置とされた状態が正状態である。
【００９４】
また、第２押圧部材６７２及び第４押圧部材６７４が退避位置とされ、第１押圧部材６７１及び第３押圧部材６７３が押圧位置とされることにより、ポンプユニット２は逆流状態（図２１に示される状態）となる。つまり、第２押圧部材６７２及び第４押圧部材６７４が退避位置とされ、第１押圧部材６７１及び第３押圧部材６７３が押圧位置とされた状態が逆状態である。
【００９５】
また、全ての押圧部材６７１〜６７４が退避位置とされた状態が中立状態である。
【００９６】
本実施形態では、回路は、第１実施形態と同様に、報知部４４０と、停止部４５０と、を有している。また、本実施形態の回路は、２つのプローブ６８０と、２つの閉塞センサ６９０と、を有している。
【００９７】
図１２及び図１３に示されるように、各プローブ６８０は、第５層６５０のうちケーシング７０１外に露出した部位である露出部に対して上保持部材７１４の厚さ方向（積層方向）に接するように上保持部材７１４に保持されている。各プローブ６８０は、上保持部材７１４に対して当該上保持部材７１４の厚さ方向に変位可能である。一方、例えば、順流状態（図２０に示される状態）においてチューブ１２に閉塞が生じると、第２切欠部６６３内に位置する露出部及び第３層６３０〜第４層６４０のうち前記露出部と積層方向に重なる部位（図１９において一点鎖線で囲まれる部位）が膨張する。このため、順流状態においてチューブ１２に閉塞が生じると、プローブ６８０が第１層６１０から離間する方向（基板７２０に近づく方向）に変位する。閉塞センサ６９０は、この変位に基づいてチューブ１２の閉塞を検出する。このことは、逆流状態（図２１に示される状態）でチューブ１１に閉塞が生じたときについても同様である。
【００９８】
以上のように、第２実施形態のポンプユニット２においても、第１実施形態のポンプユニット１と同様の効果が得られる。
【符号の説明】
【００９９】
１    ポンプユニット
２    ポンプユニット
１１    第１チューブ
１２    第２チューブ
１３    収容容器
１４    輸液バッグ
１００    ポンプ
１０１    吸込口
１０２    吐出口
１１０    ポンプ室
１２０    圧電素子
１３０    ダイヤフラム
１４０    吸込側弁
１５０    吐出側弁
２００    ベース
２０１    第１流路
２０２    第２流路
２１０    枠部
２３０    突部（切替機構）
３０１    第１接続流路
３０２    第２接続流路
３０３    第３接続流路
３０４    第４接続流路
３１０    押圧部材（切替機構）
３２０    摘み
４００    カバー
４４０    報知部
４５０    停止部
４６０    制御部
５００    ベース
５０１    第１流路
５０２    第２流路
６０２    積層体
６２５    第１溝遮断部（切替機構）
６２６    第２溝遮断部（切替機構）
６２７    第３溝遮断部（切替機構）
６２８    第４溝遮断部（切替機構）
６５５    第１被押圧部（切替機構）
６５６    第２被押圧部（切替機構）
６５７    第３被押圧部（切替機構）
６５８    第４被押圧部（切替機構）
６７１    第１押圧部材（切替機構）
６７２    第２押圧部材（切替機構）
６７３    第３押圧部材（切替機構）
６７４    第４押圧部材（切替機構）
【図１】
2018153379.tif 000003
【図２】
2018153379.tif 000004
【図３】
2018153379.tif 000005
【図４】
2018153379.tif 000006
【図５】
2018153379.tif 000007
【図６】
2018153379.tif 000008
【図７】
2018153379.tif 000009
【図８】
2018153379.tif 000010
【図９】
2018153379.tif 000011
【図１０】
2018153379.tif 000012
【図１１】
2018153379.tif 000013
【図１２】
2018153379.tif 000014
【図１３】
2018153379.tif 000015
【図１４】
2018153379.tif 000016
【図１５】
2018153379.tif 000017
【図１６】
2018153379.tif 000018
【図１７】
2018153379.tif 000019
【図１８】
2018153379.tif 000020
【図１９】
2018153379.tif 000021
【図２０】
2018153379.tif 000022
【図２１】
2018153379.tif 000023
【図２２】
2018153379.tif 000024
【図２３】
2018153379.tif 000025
【図２４】
2018153379.tif 000026